(57)【特許請求の範囲】
【請求項１】
口火流量範囲のガス流量を監視してガス漏れを検出し警報報知するガス遮断装置において、ガス通路を通過するガスのガス流量値が口火流量範囲であると判定された場合、前記ガス流量値と登録済みの登録口火流量保持値とを比較して同一流量であれば同一信号を出力し、同一流量でなければ非同一信号を出力する口火流量判定部と、前記非同一信号が所定期間連続して入力されたとき警報報知する警報報知部と、前記口火流量判定部の同一信号の入力により登録口火流量消去タイマをクリアして同一信号の非入力期間をカウントアップする口火流量消去判定部とを有し、前記口火流量消去判定部は、前記登録口火流量消去タイマがタイムアップすると前記登録口火流量保持値を消去することを特徴とするガス遮断装置。
【発明の詳細な説明】
【０００１】
【発明の属する技術分野】
本発明は、ガス使用上の安全対策としてのガス遮断装置に関するものである。
【０００２】
【従来の技術】
ガス器具にはガス湯沸器や暖房機器などのように口火（種火と称する場合もある。）を使用するものが多数あり、常時使用される口火流量を監視してガス漏れ等の異常を検出する手段を備えたガス遮断装置の従来構成を図３に示す。
【０００３】
図３において、流量計測部１１は、ガス通路を一定量のガスが通過する毎に検出される流量パルス信号からガス流量を算出してガス流量信号ａを口火流量判定部１２に入力する。口火流量判定部１２は、口火流量範囲にあるときに、計測されたガス流量値と、口火流量保持部１３から出力される登録口火流量保持値ｃとを比較判定して、計測ガス流量値と登録口火流量保持値とが一致しないとき、警報報知部１４にガス流量の非同一信号ｄを出力し、一致するとき、前記非同一信号ｄを出力しないように構成されている。
【０００４】
口火流量保持部１３は、口火流量を登録するとき、計測されたガス流量値を口火流量書き込み値ｂとして登録し、これを登録口火流量保持値ｃとして保持し、前記口火流量判定部１２からの要求に応じて前記口火流量保持値ｃを口火流量判定部１２に出力する。警報報知部１４は、前記非同一信号ｄが一定期間連続して入力されたときには、ガス遮断装置が具備する表示部に警告表示するか、当該ガス遮断装置を監視する集中監視装置等に警報報知する。
【０００５】
上記動作により、登録口火流量外の口火流量範囲のガス流量が一定期間連続して検出されたとき、警報報知がなされるので、口火流量範囲のガス漏れが検出できる。また周知のように、ガス器具を口火状態で長期間連続使用しても、その際の計測ガス流量値が登録口火流量保持値と一致し、前記非同一信号ｄが出力されないため、警報報知等がなされず、口火状態での長期間連続使用を円滑に行うことができる。
【０００６】
【発明が解決しようとする課題】
しかしながら、上記従来構成では、口火流量登録されたガス器具が異なる機種に交換されて、先のガス器具が使用されなくなったような場合で、使用されなくなったガス器具について登録されている登録口火流量範囲のガス漏れが発生した場合に、口火流量と判断されてしまうため、前記非同一信号が出力されず、警報報知されないという問題点があった。
【０００７】
本発明は、従来構成の問題点を解決すべく創案されたもので、登録口火流量を削除することができるガス遮断装置を提供することを目的とする。
【０００８】
【課題を解決するための手段】
本発明に係るガス遮断装置は、口火流量範囲のガス流量を監視してガス漏れを検出し警報報知するガス遮断装置において、ガス通路を通過するガスのガス流量値が口火流量範囲であると判定された場合、前記ガス流量値と登録済みの登録口火流量保持値とを比較して同一流量であれば同一信号を出力し、同一流量でなければ非同一信号を出力する口火流量判定部と、前記非同一信号が所定期間連続して入力されたとき警報報知する警報報知部と、前記口火流量判定部の同一信号の入力により登録口火流量消去タイマをクリアして同一信号の非入力期間をカウントアップする口火流量消去判定部とを有し、前記口火流量消去判定部は、前記登録口火流量消去タイマがタイムアップすると前記登録口火流量保持値を消去することを特徴とする。
【０００９】
上記構成によれば、口火流量判定部においてガス流量値と登録口火流量保持値とが比較判定され、同一でないとき非同一信号が出力され、同一であったときは同一信号が出力される。前記非同一信号が予め設定された所定期間連続して入力されたとき、警報報知部は所定の警報報知を実行する。更に、前記同一信号が入力されたときから予め設定された一定期間経過したときには、口火流量消去判定部は前記登録口火流量保持値を消去する。この処理動作により、使用するガス器具を交換して登録された口火流量が変更されたような場合に、使用されなくなったガス器具についての口火流量と同等量のガス漏れがあったときにもガス漏れ検出が可能となり、ガス使用上の安全が確保される。
【００１０】
【発明の実施の形態】
以下、添付図面を参照して本発明の一実施形態について説明し、本発明の理解に供する。尚、以下の実施形態は本発明を具体化した一例であって、本発明の技術的範囲を限定するものではない。
【００１１】
図１は、本実施形態に係るガス遮断装置の構成を示すブロック図である。
【００１２】
図１において、ガス遮断装置１は、ガス通路を一定量のガスが通過する毎に出力される流量パルス信号からガス流量を演算して計測ガス流量値Ａを出力する流量計測部２と、前記計測ガス流量値Ａが口火流量範囲であるか否かの判定を行った後、口火流量範囲であるとき前記計測ガス流量値Ａと、口火流量保持部４から出力される登録口火流量保持値Ｃと比較判定して、同一であるとき同一信号Ｅ、同一でないとき非同一信号Ｄを出力する口火流量判定部３と、前記口火流量書き込み値Ｂを登録口火流量保持値Ｃとして登録保持すると共に、口火流量判定部３の要求に応じて前記登録口火流量保持値Ｃを出力する口火流量保持部４と、前記口火流量判定部３から出力される非同一信号Ｄに基づいて警報報知を行う警報報知部５と、前記口火流量判定部３から出力される同一信号Ｅに基づいて登録口火流量消去タイマを動作させ、前記同一信号Ｅの入力から所定期間の経過を判定して前記登録口火流量保持値Ｃを削除する口火流量消去判定部６とを備えて構成されている。
【００１３】
上記構成による処理動作を図２に示すフローチャートを参照して説明する。この処理動作は、インターバルカレンダ等により周期的に実行される。尚、同図に示すＳ１、Ｓ２……は動作手順を示すステップ番号で、本文に添記する番号と一致する。
【００１４】
流量計測部２は、ガス通路を一定量のガスが通過する毎に出力される流量パルス信号から単位時間当たりの計測ガス流量値Ａを演算して口火流量判定部３に入力する（Ｓ１）。口火流量判定部３は、入力された計測ガス流量値Ａが口火流量の範囲かガス使用の流量範囲か判断する（Ｓ２）。口火流量範囲でない場合はステップＳ９に移行させ、口火流量範囲であると判定されたときには、既に口火流量が登録されているか否かを判定し（Ｓ３）、既に登録済みであれば、計測ガス流量値Ａが登録されている登録口火流量保持値Ｃと比較判定し（Ｓ５）、同一流量（誤差１０％以内であれば同一と判定する）であれば、同一信号Ｅを口火流量消去判定部６に出力するので、口火流量消去判定部６は登録口火流量消去タイマをクリアにして処理を終了する（Ｓ６）。
【００１５】
前記ステップＳ５の判定処理において、計測ガス流量値Ａが登録口火流量保持値Ｃと同一でなかった場合には、非同一信号Ｄが警報報知部５に出力されるので、警報報知部４は非同一信号Ｄが予め設定された一定期間連続（例えば、３０日間連続していれば、ガス通路が破損してガス漏れが発生していると判断する）しているか否かを判定し（Ｓ７）、連続していなければステップＳ９に移行し、連続していれば警報成立と判断し、ガス遮断装置１が外部表示するＬＥＤ、ＬＣＤ等により警告表示し、あるいは電話回線を介して接続されている集中監視装置等に通報する警報報知を実行する（Ｓ８）。
【００１６】
口火流量消去判定部６の登録口火流量消去タイマは、先のステップＳ６において計測ガス流量値Ａと登録口火流量保持値Ｃとが一致した同一信号Ｅによりカウントクリアされてからカウントアップしているので（Ｓ９）、カウントアップしている間に同一信号Ｅの入力がなくタイムアップすると（Ｓ１０）、口火流量消去判定部６は口火流量保持部４に保持されている登録口火流量保持値Ｃを消去する口火流量削除信号Ｆを口火流量保持部４に出力し、登録口火流量保持値Ｃは消去される（Ｓ１１）。前記口火流量消去部６における所定期間の経過の判定は、登録口火流量消去タイマに設定された期間がタイムアップしたか否かによって行なわれる。そして例えば、口火登録の対象器具が１年間を通して使用されるガス器具であるときは、１０日間経過したか否かを判定し、ガスヒータ等の季節もののガス器具であるときは、年間を通した動作をみるために３６５日経過したか否かで判定できるように、登録口火流量消去タイマの期間が設定される。
なお、新たにガス器具の口火流量を登録する必要があるときは、周知のように、そのガス器具の口火使用状態時のガス流量を計測し、その計測ガス流量値Ａを書き込み値Ｂとして、口火流量判定部３は口火流量保持部４に出力し口火登録させ、口火流量保持部４はこれを登録口火流量保持値Ｃとして保持する（図１、図２のステップＳ１、Ｓ２、Ｓ３、Ｓ４）。
【００１７】
【発明の効果】
以上の説明の通り本発明によれば、口火流量判定部においてガス流量値と登録口火流量保持値とが比較判定され、同一でないとき非同一信号が出力され、同一であったときは同一信号が出力される。前記非同一信号が予め設定された所定期間連続して入力されたとき、警報報知部は所定の警報報知を実行する。更に、前記同一信号が入力されたときから予め設定された一定期間経過したときには、口火流量消去判定部は前記登録口火流量保持値を消去する。この処理動作により、使用するガス器具を交換して登録された口火流量が変更されたような場合で、先のガス器具が使用されていない場合に、先のガス器具についての口火流量と同等量のガス漏れがあったときにも、先のガス器具についての口火流量登録を削除することで、ガス漏れとしての検出が可能となり、ガス使用上の安全が確保される。
【図面の簡単な説明】
【図１】  本発明の一実施形態に係るガス遮断装置の構成を示すブロック図ある。
【図２】  上記構成による処理動作を説明するフローチャートである。
【図３】  従来技術に係るガス遮断装置の構成を示すブロック図ある。
【符号の説明】
１  ガス遮断装置
２  流量計測部
３  口火流量判定部
４  口火流量保持部
５  警報報知部
６  口火流量消去判定部
【図１】
0003828211.tif 000002
【図２】
0003828211.tif 000003
【図３】
0003828211.tif 000004